(57)【要約】【課題】ユーザに負担や不快を感じさせることなく照明器具を省エネルギー稼動する。【解決手段】照明器具と、室内の明るさを検出する明るさセンサと、前記照明器具の明るさレベルの変更操作を行うためのユーザインターフェースと、室内環境に適した明るさの下限値と、前記照明器具点灯時の明るさとしての初期値と、を記憶する記憶手段と、前記照明器具点灯時には前記初期値の明るさで点灯させるとともに、前記明るさセンサにより検出された明るさと前記明るさの下限値とが一致するか否かを判定し、一致しないと判定された場合に、前記明るさを変更する際の変更比率及び変更間隔を用いて、前記明るさセンサにより検出された明るさと前記明るさの下限値とが一致するまで、室内の明るさを２％以下の変更比率で且つ０．２秒以上の間隔をあけて前記照明器具の出力を低下させるように制御する制御手段と、を備える照明システム。【選択図】図１
2012043625.tif 000002
【特許請求の範囲】
【請求項１】
照明器具と、
室内の明るさを検出する明るさセンサと、
前記照明器具の明るさレベルの変更操作を行うためのユーザインターフェースと、
室内環境に適した明るさの下限値と、前記照明器具点灯時の明るさとしての初期値と、を記憶する記憶手段と、
前記照明器具点灯時には前記初期値の明るさで点灯させるとともに、前記明るさセンサにより検出された明るさと前記明るさの下限値とが一致するか否かを判定し、一致しないと判定された場合に、前記明るさを変更する際の変更比率及び変更間隔を用いて、前記明るさセンサにより検出された明るさと前記明るさの下限値とが一致するまで、室内の明るさを２％以下の変更比率で且つ０．２秒以上の間隔をあけて前記照明器具の出力を低下させるように制御する制御手段と、
を備える照明システム。
【請求項２】
前記記憶手段は、前記照明器具の出力と前記明るさセンサにより検出される明るさとの関係をさらに記憶し、
前記制御手段は、前記照明器具の出力と前記明るさセンサにより検出される明るさとの関係を用いて、前記照明器具の出力制御を行う、
ことを特徴とする請求項１に記載の照明システム。
【請求項３】
前記記憶手段は、ユーザの明るさ嗜好を学習してなる学習下限値及び学習上限値をさらに記憶し、
前記制御手段は、前記学習下限値及び前記学習上限値が未設定の場合には、前記学習下限値として前記明るさの下限値、前記学習上限値として前記初期値を代入するとともに、前記初期値に代えて前記学習上限値、前記明るさ下限値に代えて前記学習下限値を用いて制御を行う、
ことを特徴とする請求項１又は２に記載の照明システム。
【請求項４】
前記制御手段は、前記ユーザインターフェースによる明るさレベル変更操作の有無及びその内容を判定し、明るさレベルを上げる操作があった場合には、変更前の明るさに２％以下の値を加算した値及び初期値のうちの小さいほうの値を前記学習下限値、変更後の明るさ及び前記初期値のうち小さいほうの値を前記学習上限値をとして、前記記憶手段に記憶させる、
ことを特徴とする請求項３に記載の照明システム。
【請求項５】
前記制御手段は、前記ユーザインターフェースによる明るさレベル変更操作の有無及びその内容を判定し、明るさレベルを下げる操作があった場合には、変更後の明るさ及び明るさ下限値のうち大きいほうを学習上限値、前記明るさの下限値を学習下限値として、前記記憶手段に記憶させる、
ことを特徴とする請求項３に記載の照明システム。
【請求項６】
前記制御手段は、前記ユーザインターフェースによる明るさレベル変更操作の有無を判定し、明るさレベルを変更する操作がなかった場合には、変更前の学習最大値から２％以下の値減算した値及び前記明るさの下限値のうち大きいほうの値を前記学習最大値として、前記記憶手段に記憶させる、
ことを特徴とする請求項３に記載の照明システム。
【発明の詳細な説明】
【技術分野】
【０００１】
本発明は、室内の照明器具の省エネルギー制御を行う照明システムに関する。
【背景技術】
【０００２】
近年、省エネルギーに対する注目が高まっており、家電機器の省エネルギー化に関する技術開発が行われている。家電機器の省エネルギー化においては、日常生活の場で人々が抵抗無く省エネルギーを実行するために、操作負担や出力低下による不快感を与えることのない手法が求められる。
【０００３】
省エネルギー技術を適用した照明器具に関する技術としては、下記特許文献１が挙げられる。
【先行技術文献】
【特許文献】
【０００４】
【特許文献１】特表2000-509546号公報
【０００５】
特許文献１は、予め定められた設定値に向かって、人間が気づくことができない遅い速度で照明器具の出力を低下させて光量を落とす省エネルギー技術を提案している。
【発明の概要】
【発明が解決しようとする課題】
【０００６】
しかし、上記特許文献１では、予め定められた設定値自体がユーザに快適であるか否かや、外光の明るさに影響を受ける実際の明るさについては考慮されていないので、ユーザの明るさに関する好みの個人差や外光状況の変化等に対応する柔軟さに欠ける。上記文献以外においても、ユーザに不快感を与えることなく省エネルギーを実践できる照明システムは、いまだ実現していない。
【０００７】
本発明は、以上に鑑みなされたものであって、ユーザに特別な操作負担を強いることなく、また明暗に対する不快感を与えることなく、照明器具の省エネルギー稼動を実行することのできる照明システムを提供することを目的とする。
【課題を解決するための手段】
【０００８】
上記課題を解決するための本発明は、照明器具と、室内の明るさを検出する明るさセンサと、前記照明器具の明るさレベルの変更操作を行うためのユーザインターフェースと、室内環境に適した明るさの下限値と、前記照明器具点灯時の明るさとしての初期値と、を記憶する記憶手段と、前記照明器具点灯時には前記初期値の明るさで点灯させるとともに、前記明るさセンサにより検出された明るさと前記明るさの下限値とが一致するか否かを判定し、一致しないと判定された場合に、前記明るさを変更する際の変更比率及び変更間隔を用いて、前記明るさセンサにより検出された明るさと前記明るさの下限値とが一致するまで、室内の明るさを２％以下の変更比率で且つ０．２秒以上の間隔をあけて前記照明器具の出力を低下させるように制御する制御手段と、を備える照明システムである。
【０００９】
気づくことができる最小の刺激差は、基準となる基礎刺激の強度に比例するというウェーバーの法則がある。明るさ刺激（明るさの変化）の場合、気づくことができる最小の刺激差は、現時点の明るさの約２％である。
【００１０】
また、明るさ刺激があった場合に視覚が落ち着くのは、明るさの変更後０．２〜０．３５秒以上経過した後である。
【００１１】
上記構成では、明るさ刺激を感じない変更比率である２％以下で明るさを暗く変化させており、且つ連続して明るさを変化させる場合には視覚が落ち着いた後である以上経過した後に行っている。このため、ユーザが明るさの変化を気づくことが無い。また、室内環境に適した明るさの下限値を超えて暗くなることが無いため、よって、ユーザに明るさに対する不快感を与えることなく、且つユーザに気づかれることなく照明器具の明るさを落とすことができ、これにより省エネルギー化を図れる。
【００１２】
ここで、明るさの下限値としては、ＪＩＳ  Ｚ９１１０−１９７９に準拠した下限値とすることができ、また、上記基準に記載されていない条件においては、その使用用途から最も近い条件を参照して適用することができる。また、初期値は、ＪＩＳ  Ｚ９１１０−１９７９を準拠又は参照した上限値とすることができる。
【００１３】
上記構成において、前記記憶手段は、前記照明器具の出力と前記明るさセンサにより検出される明るさとの関係をさらに記憶し、前記制御手段は、前記照明器具の出力と前記明るさセンサにより検出される明るさとの関係を用いて、前記照明器具の出力制御を行う構成とすることができる。
【００１４】
室内の明るさは、外部要因に起因する明るさと照明器具による明るさとの和であり、照明器具の出力と明るさセンサにより検出される明るさとの関係を用いることにより、照明器具の出力制御によって、室内の明るさを２％以下の変更比率で落とすことが容易となる。
【００１５】
上記構成において、前記記憶手段は、ユーザの明るさ嗜好を学習してなる学習下限値及び学習上限値をさらに記憶し、前記制御手段は、前記学習下限値及び前記学習上限値が未設定の場合には、前記学習下限値として前記明るさの下限値、前記学習上限値として前記初期値を代入するとともに、前記初期値に代えて前記学習上限値、前記明るさ下限値に代えて前記学習下限値を用いて制御を行う構成とすることができる。
【００１６】
上記構成では、明るさ下限値に変えてユーザの明るさ嗜好を学習してなる学習下限値及び学習上限値を用いることにより、より速やかに、且つ、ユーザが明るさに対する不快感を抱くことなく明るさを落としていくことができ、省エネルギーを図れる。
【００１７】
ユーザの明るさ嗜好の学習（学習上限値、学習下限値の変更）は、次のようにして行う。
【００１８】
制御手段は、ユーザインターフェースによる明るさレベル変更操作の有無及びその内容を判定する。
【００１９】
明るさレベルを上げる操作があった場合には、変更前の明るさまで明るさを下げることは好ましくないので、学習下限値を「変更前の明るさに２％以下の値を加算した値」とする。なお、この値が初期値を超える場合は学習下限値を「初期値」とする。また、変更後の明るさに不満は無いと判定できるが、初期値を超える明るさとするのは不適であるので、学習上限値を「変更後の明るさ及び初期値のうち小さいほうの値」とする。
【００２０】
明るさレベルを下げる操作があった場合には、変更後の明るさに不満を感じていないと判定できるので、学習上限値を「変更後の明るさ及び初期値のうち小さいほうの値」とする。なお、学習上限値が明るさ下限値を下回ることは好ましくないので、この場合は学習上限値を「明るさ下限値」とする。また、明るさの下限に対する嗜好は不明であるので、最低限必要な明るさである「明るさ下限値」を学習下限値とする。
【００２１】
照明点灯時に、照明調節操作が全く無い場合は、現在の学習下限値まで明るさを下げたことに対する不満を感じなかったと判定できるため、学習下限値は変更しない。また、点灯時の明るさレベルを落としても大丈夫と判定できるので、点灯時の明るさレベルである学習最大値を、「学習最大値（変更前）から刺激量の変化を認識できないレベルである２％以下の値を減算した値」とする。なお、この値が明るさ下限値よりも小さくなることは好ましくないので、この場合は、学習最大値を「明るさ下限値」とする。
【発明の効果】
【００２２】
本発明にかかる照明システムによると、ユーザに明暗に関する不満を感じさせることなく照明器具を省エネルギー稼動できる照明システムを実現できる。
【図面の簡単な説明】
【００２３】
【図１】図１は、実施の形態１にかかる照明システムの全体構成を示すブロック図である。
【図２】図２は、実施の形態１に係る照明システムの動作フローを示す図である。
【図３】図３は、実施の形態２に係る照明システムの動作フローを示す図である。
【図４】図４は、実施の形態２に係る照明システムの学習処理のフローを示す図である。
【図５】図５は、実施の形態３に係る照明システムの動作フローを示す図である。
【発明を実施するための形態】
【００２４】
（実施の形態１）
本発明を実施するための形態を、図面を参照して詳細に説明する。図１は、本実施の形態に係る照明システムのブロック図である。
【００２５】
図１に示すように、本実施の形態に係る照明システムは、室内の明るさレベルを検出する明るさセンサ１０１と、照明器具１０４と、明るさ制御のための各種情報を記憶する記憶手段１０３と、明るさセンサ１０１の情報と記憶手段１０３の情報とを用いて照明器具１０４の照明強度を制御する制御手段１０２と、照明器具１０４に対するユーザによる変更操作を行うためのユーザインターフェース１０５と、を備えている。
【００２６】
照明器具１０４は、制御対象の器具であり、消費電力を変更することにより明るさレベルを変更できるものである。このような照明器具１０４としては、蛍光灯、ＬＥＤ（Light Emitting Diode）照明等を用いることができる。
【００２７】
制御手段１０２は、明るさセンサ１０１の情報と記憶手段１０３の情報とを用いて、照明器具１０４の照明強度の制御を行うものである。なお、この制御の詳細は後述する。制御手段１０２としては、中央処理装置（ＣＰＵ）等の公知の処理装置を用いることができる。
【００２８】
明るさセンサ１０１は、室内の明るさレベルを検出するセンサである。この明るさセンサ１０１としては、照度計等の公知の光センサを使用できる。
【００２９】
ユーザインターフェース１０５は、照明器具１０４に対してＯＮ／ＯＦＦ、明るさレベルの変更等のユーザ操作を行うものである。また、このような操作情報は、無線や有線の通信によって、制御手段１０２に伝達される。
【００３０】
記憶手段１０３は、明るさ制御のための各種情報を記憶するものである。具体的には、室内環境に適した明るさの下限値と、点灯時の明るさである初期値と、照明器具１０４の明るさ変更比率（２％以下の値）と、照明器具１０４の明るさ変更間隔（０．２秒以上の値）と、が少なくとも記憶され、さらに、照明器具１０４の出力と明るさセンサ１０１により検出される明るさとの関係を示すテーブル、現在の照明強度、一致度判定のための誤差範囲（照明誤差範囲）等が記憶されていてもよい。
【００３１】
記憶手段に記憶される情報について、以下に説明する。
【００３２】
明るさの下限値とは、室内の使用用途に応じた最適な明るさレベルの下限値を意味し、例えばＪＩＳ  Ｚ９１１０−１９７９の基準を用いることができ、またこの基準に示されていない環境においては、最も近い環境における値を参照して適用することもできる。
【００３３】
初期値とは、照明器具の点灯時の明るさであり、室内の使用用途に応じた最適な明るさレベルの上限値を意味する。例えば、ＪＩＳ  Ｚ９１１０−１９７９の基準やこれを参照した値を用いることができる。
【００３４】
一致度判定のための誤差範囲とは、明るさセンサで検出された現在の明るさレベルが、明るさの下限値と一致するか否かを判定する際に用いる誤差範囲であり、例えば明るさセンサで検出された明るさレベルと比較される「明るさの下限値」の２％範囲とすることができる。
【００３５】
明るさ変更比率とは、明るさセンサで検出された現在の明るさレベルが、明るさの下限値よりも大きい場合に、照明器具１０４の強度を下げるための強度変更比率である。
【００３６】
明るさ変更間隔とは、２回以上連続して照明器具１０４の強度を下げる場合に、強度変更処理間に設ける休止時間である。
【００３７】
ここで、明るさ変更比率及び明るさ変更間隔について、さらに説明する。気づくことができる最小の刺激差は、基準となる基礎刺激の強度に比例するというウェーバーの法則がある。明るさ刺激（明るさの変化）の場合、気づくことができる最小の刺激差約２%であるため、明るさ変更比率は、２％以下とする。明るさ変更比率の下限は特に設けなくてもよいが、好ましくは０．０１％以上、より好ましくは０．０５％以上、さらに好ましくは０．１％以上とする。
【００３８】
これに対し、明るさ刺激があった場合に視覚が落ち着くのは、明るさ変更後０．２〜０．３５秒以上後であることから、ここでは変更間隔を０．２秒以上、好ましくは０．３５秒以上とする。明るさ変更間隔の上限は特に設けなくてもよいが、好ましくは１０分以下、より好ましくは５分以下、さらに好ましくは３分以下とする。
【００３９】
また、記憶手段１０３に照明調節の変更比率、変更間隔に関するテーブルを複数記憶しておき、ユーザインターフェースからの入力によってユーザが好みの変更比率、変更間隔を設定できる構成としてもよい。また、常に一定の比率・間隔で変化させるのではなく、例えば照明強度が高く消費電力が大きいときには高い比率・短い間隔で、照明強度がある程度下がった後には低い比率・長い間隔というように、比率・間隔を変化させながら制御を行うようにしてもよい。
【００４０】
初期値とは、照明器具１０４の起動時の明るさレベル（照明強度）を意味する。
【００４１】
現在の照明強度とは、現在の照明器具１０４の照明強度（出力）を意味する。この情報は、電源が落とされた場合に保持する必要は無いので、揮発性の記憶手段に記憶されていてもよい。
【００４２】
照明器具１０４の出力と明るさセンサ１０１により検出される明るさとの関係を示すテーブルとは、照明器具１０４の照明強度（出力）と当該出力時の部屋の明るさとの関係を示すテーブルであり、制御手段１０２は、これらの情報を用いて照明器具１０４の照明強度（出力）の制御を行い、室内の明るさレベルを制御する。
【００４３】
ここで、情報ごとにそれぞれ記憶手段が用意される構成であってもよく、全ての情報を一つの記憶手段が記憶する構成であってもよく、それ以外の構成であってもよい。記憶手段としては、ハードディスクドライブ（ＨＤＤ）、半導体メモリ、レジスタ等を用いることができる。また、複数の記憶手段を用いる場合、揮発してもよい情報のみを記憶する記憶手段として、ＲＡＭ（Random Access Memory）等を用いることができる。
【００４４】
次に、この照明システムの動作フローを、図２を参照して説明する。
【００４５】
ステップＳ１０１
ユーザインターフェース１０５を用いて照明器具１０４がＯＮとなると、制御手段１０２に当該情報が通知される。この通知は、ユーザインターフェース１０５が制御手段１０２に通知するものであってもよく、照明器具１０４が制御手段１０２に通知するものであってもよい。
【００４６】
ステップＳ１０２
制御手段１０２は、記憶手段１０３から明るさの下限値及び照明誤差範囲に関する情報を取得する。
【００４７】
ステップＳ１０３
制御手段１０２は、明るさセンサ１０１から現時点での明るさレベルを取得する。なお、ステップＳ１０２とステップＳ１０３との順序が逆ないし同時であってもよい。
【００４８】
ステップＳ１０４
制御手段１０４は、取得した現時点での明るさと明るさの下限値の減算処理を行い、この値が照明誤差範囲内か否か（現時点での明るさと明るさの下限値とが一致するか否か）を判定する。範囲内であれば終了処理を行い、範囲外であればステップＳ１０５に移行する。
【００４９】
ステップＳ１０５
取得した現時点での明るさレベルと明るさの下限値の差が照明誤差範囲外であれば、記憶手段１０３から明るさ変更比率（２％以下の値）を取得し、この比率を用いて照明器具１０４の強度を低下させる。
【００５０】
ステップＳ１０６
明るさ変更処理後、明るさ変更間隔（０．２秒以上）の経過を待って、ステップＳ１０３に移行する。
【００５１】
これらの処理により、室内の照明器具１０４の消費電力が低減されて、省エネルギーを図れる。
【００５２】
（実施の形態２）
本実施の形態では、ユーザの照明器具の使用状態を学習し、ユーザの好みに適しており、且つ省エネルギーに資する明るさに速やかに変更できる照明システムを、図面を参照して詳細に説明する。なお、照明システムの構成は、照明器具１０４の起動値の明るさであって、ユーザの好みを学習したものである学習上限値及び照明器具１０４の明るさレベル変更の下限値であって、ユーザの好みを学習したものである学習下限値が、記憶手段に記憶される必須の記憶情報であり、且つ、ユーザインターフェース１０５の操作情報を用いて制御手段１０２が学習値の書き換えを行うこと以外は、上記実施の形態１と同様であるので、システム構成の説明は省略する。
【００５３】
次に、この照明システムの動作フローを、図３を参照して説明する。
【００５４】
ステップＳ２０１
ユーザインターフェース１０５を用いて照明器具１０４がＯＮとなると、制御手段１０２に当該情報が通知される。
【００５５】
ステップＳ２０２
制御手段１０２は、明るさレベルの学習（学習下限値の設定）が済んでいるか否かを判定する。済んでいる場合はステップＳ２０４に移行し、済んでいない場合はステップＳ２０３に移行する。
【００５６】
ステップＳ２０３
未学習の場合、制御手段１０２は、明るさの下限値を学習下限値、初期値を学習上限値に代入する。
【００５７】
ステップＳ２０４
学習上限値で照明器具１０４が点灯される。
【００５８】
ステップＳ２０５
制御手段１０２は、記憶手段１０３から学習下限値及び照明誤差範囲に関する情報を取得する。
【００５９】
ステップＳ２０６
制御手段１０２は、明るさセンサ１０１から現時点での明るさレベルを取得する。
【００６０】
ステップＳ２０７
制御手段１０２は、取得した現時点での明るさレベルと下限値（学習下限値又は明るさ下限値）の減算処理を行い、この値が照明誤差範囲内か否かを判定する。範囲内であれば終了処理を行い、範囲外であればステップＳ２０８に移行する。
【００６１】
ステップＳ２０８
取得した現時点での明るさレベルと明るさの下限値の差が照明誤差範囲外であれば、記憶手段１０３から明るさ変更比率を取得し、この比率を用いて照明器具１０４の強度を低下させる。
【００６２】
ステップＳ２０９
明るさ変更処理後、明るさ変更間隔の経過を待って、ステップＳ２０６に移行する。
【００６３】
これらの処理により、室内の照明器具１０４の強度がユーザの好みの下限値まで低下し、これにより消費電力が低減されて、省エネルギーを図れる。
【００６４】
次に、学習下限値、学習上限値の設定（学習）方法を、図４のフローを用いて説明する。
【００６５】
ここでは、照明器具１０４が点灯してから、照明器具１０４の明るさ変更操作の有無及びある場合にはその内容を用いて、ユーザの明るさ嗜好の学習を行う。
【００６６】
ステップＳ３０１
制御手段１０２は、学習値が設定されているか否かを判定する。設定されていない場合にはステップＳ３０２に移行し、設定されている場合にはステップＳ３０３に移行する。ここでは、学習値の有無を示す学習値フラグを記憶手段に記憶しておき、これを用いて判定する方法を採用できる。
【００６７】
ステップＳ３０２
学習値が設定されていない場合、学習上限値を初期値とし、学習下限値に明るさ下限値として代入する。
【００６８】
ステップＳ３０３
制御手段１０２は、ユーザインターフェース１０５から操作情報を取得し、ユーザの明るさ調節操作があったか否かを判定する。ない場合にはステップＳ３０７に移行し、ある場合にはステップＳ３０４に移行する。
【００６９】
ステップＳ３０４
照明調節操作がある場合、明るさレベルを上げる操作か下げる操作か判定する。明るさレベルを上げる操作であればステップＳ３０５、明るさレベルを下げる操作であればステップＳ３０６に移行する。
【００７０】
ステップＳ３０５
明るさレベルを上げる操作である場合、変更前の明るさに不満がある（明るさが低すぎる）と判定できるので、この明るさをこのレベルまで落とすことが無いように、学習下限値を「変更前の明るさに明るさ変更比率分加算した値」とする。なお、初期値を超える値とすることは好ましくないので、「変更前の明るさに明るさ変更比率分加算した値」が初期値よりも大きい場合には、学習下限値を「初期値」とする。
また、次回起動時の明るさレベルは、変更後の明るさで十分であると判定できるため、学習上限値を「変更後の明るさ」とする。なお、初期値を超える値とすることは好ましくないので、「変更前の明るさに明るさ変更比率分加算した値」が初期値よりも大きい場合には、学習上限値を「初期値」とする。
【００７１】
ステップＳ３０６
明るさレベルを下げる操作である場合、変更後の明るさレベルに不満はないと判定できるため、学習上限値を「変更後の明るさ」とする。なお、初期値を超える値とすることは好ましくないので、「変更前の明るさに明るさ変更比率分加算した値」が初期値よりも大きい場合には、学習上限値を「初期値」とする。また、学習下限値は変更後の明るさよりも下の値とすることがよいが、このレベルは不明であると判定できるので、学習下限値を「明るさ下限値」とする。
【００７２】
ステップＳ３０７
照明点灯時に、照明調節操作が全く無い場合は、現在の学習下限値まで明るさを下げたことに対する不満を感じなかったと判定できるため、学習下限値は変更しない。また、点灯時の明るさレベルを落としても大丈夫と判定できるので、点灯時の明るさレベルである学習最大値を、「学習最大値（変更前）から明るさ変更比率分落とした値」とする。なお、この値が明るさ下限値よりも小さくなることは好ましくないので、この場合は、学習最大値を「明るさ下限値」とする。
【００７３】
ステップＳ３０８
ステップＳ３０５〜Ｓ３０７で学習した学習上限値を、照明器具１０４の次回起動の際の明るさに設定し、終了する。
【００７４】
以上の学習処理により、ユーザに不快感を与えない明るさまで速やかに照明器具の強度を落としていくことができ、より省エネルギーに資する。
【００７５】
（実施の形態３）
本実施の形態では、所定の明るさに達した後においても明るさレベルを常時監視し、外光レベルの変化等に起因する室内明るさレベル変化による影響を調整すること以外は、上記実施の形態２と同様である。本実施の形態に係るシステム構成は、上記実施の形態２と同様であるため、その説明を省略する。
【００７６】
次に、この照明システムの動作フローを、図５を参照して説明する。なお、このフローは、ステップＳ４０１〜Ｓ４０７までは上記実施の形態２のステップＳ２０１〜Ｓ２０７と同様であるので、その説明を省略する。
【００７７】
ステップＳ４０８
差が照明誤差範囲より大きい場合、明るさレベルが学習下限値よりも大きいか否かを判定する。大きい場合はステップＳ４０９に移行し、小さい場合にはステップＳ４１０に移行する。
【００７８】
ステップＳ４０９
明るさレベルが学習下限値よりも大きい場合、照明器具の強度を２％以下低下させる。この後、ステップＳ４１１に移行する。
【００７９】
ステップＳ４１０
明るさレベルが学習下限値よりも小さい場合、照明器具の強度を２％以下増大させる。この後、ステップＳ４１１に移行する。
【００８０】
ステップＳ４１１
明るさ変更処理後、明るさ変更間隔の経過を待って、ステップＳ４１２に移行する。
【００８１】
ステップＳ４１２
照明器具の電源がＯＮかＯＦＦかを判定する。ＯＦＦの場合は終了し、ＯＮの場合はステップＳ４０６に移行する。
【００８２】
以上の動作により、外光レベルの変化による室内の明るさ変化に対して速やかに室内の明るさを調整でき、これにより外光レベルの変化による室内の明るさ変化に対してユーザに不快感を与えないようにすることができる。
【産業上の利用可能性】
【００８３】
以上に説明したように、本発明によると、ユーザに操作負担や明暗の不快感を与えることなく照明器具を省エネルギー稼動できる照明システムを実現できる。よって、本発明の産業上の利用可能性は大きい。
【符号の説明】
【００８４】
１０１  明るさセンサ
１０２  制御手段
１０３  記憶手段
１０４  照明器具
１０５  ユーザインターフェース
【図１】
2012043625.tif 000003
【図２】
2012043625.tif 000004
【図３】
2012043625.tif 000005
【図４】
2012043625.tif 000006
【図５】
2012043625.tif 000007